(57)【要約】  携帯機器の本来のデザインを変えることなく、機器を保持した場合の通信品質を向上することができる携帯機器を提供すること。本発明の携帯機器（３）は、情報信号を電界信号に変換して人体（２）を介して送受信する電界通信における送信機（１）及び／又は受信機（３）として機能し、側面（３７）及び情報を視認できる表示面（３５）を持つ外形が略六面体である携帯機器（３）であって、電界通信用の外側電極（４２）が前記表示面（３５）に設けられており、電界通信用の人体側電極（４３）が少なくとも一つの前記側面（３７）に設けられていることを特徴とする。
2009081699.tif 000002
【特許請求の範囲】
【請求項１】
情報信号を電界信号に変換して伝送媒体を介して送受信する電界通信における送信機及び／又は受信機として機能し、側面及び情報を視認できる表示面を持つ外形が略六面体である携帯機器であって、電界通信用の外側電極が前記表示面に設けられており、電界通信用の第１伝送媒体側電極が少なくとも一つの前記側面に設けられていることを特徴とする携帯機器。
【請求項２】
前記表示面に対向する対向面に電界通信用の第２伝送媒体側電極が設けられており、所定の時間にわたって前記携帯機器に対する操作がないときに前記対向面に設けた第２伝送媒体側電極を電界通信用の伝送媒体側電極とし、前記携帯機器に対する操作があったときに前記側面に設けた第１伝送媒体側電極を電界通信用の伝送媒体側電極とするように切り替え制御を行うことを特徴とする請求項１記載の携帯機器。
【請求項３】
前記携帯機器が保持されたことを検出する検出手段を有しており、前記表示面に対向する対向面に電界通信用の第２伝送媒体側電極が設けられており、前記携帯機器が保持されたことを検出されていないときに前記対向面に設けた第２伝送媒体側電極を電界通信用の伝送媒体側電極とし、前記携帯機器が保持されたことを検出したときに前記側面に設けた第１伝送媒体側電極を電界通信用の伝送媒体側電極とするように切り替え制御を行うことを特徴とする請求項１記載の携帯機器。
【請求項４】
前記携帯機器は入力機能を備えており、前記携帯機器に対する入力と電界通信とが共に行われる場合に、前記側面に設けた第１伝送媒体側電極の一部を電界通信用の伝送媒体側電極とし、前記側面に設けた残りの前記第１伝送媒体側電極を電界通信用の外側電極とするように切り替え制御を行うことを特徴とする請求項１記載の携帯機器。
【発明の詳細な説明】
【技術分野】
【０００１】
本発明は、人体や空間のような伝送媒体を介して情報信号を送受信する電界通信に用いられる携帯機器に関する。
【背景技術】
【０００２】
伝送媒体（主に人体）を介して送受信する通信システムについて、電界を用いて通信する方法が特許文献１などで開示されている。特許文献１には、図１１に示すように、電極対、すなわち人体１１２に密接に容量結合する人体側（内部）電極１１１と、ルームアースに対する結合が人体側（内部）電極よりも大きくなるように配向された外側（外部）電極１１３との対を、送信機及び受信機がそれぞれ１対ずつ備えている。この電極対は、図１１から分かるように、平行平板の配置をとる。【０００３】
上記技術を携帯機器に応用する場合には、電極の設計が重要であり、送受信電極、すなわち伝送媒体側電極について工夫する必要がある。特許文献２には、電界通信用の携帯端末の電子回路やディスプレイから発生する不要な電磁波が人体のような伝送媒体に混入して通信品質が劣化する問題に着目し、電界通信用の携帯端末の回路要素（ディスプレイ、操作キー、電界通信トランシーバ、コンピュータなど）から離れた位置に電界通信用の送受信電極を新たに設けることで、回路要素から発生する不要な電磁波が伝送媒体に混入することを抑え、通信品質の向上を図ることが開示されている。
【特許文献１】特表平１１−５０９３８０号公報
【特許文献２】特開２００５−３０３９２２号公報
【発明の開示】
【０００４】
通常よく用いられる平行平板の電極配置は、機器を腕時計のようにバンドで人体に装着して使用する場合には有効である。しかしながら、このような電極配置の携帯機器を手で保持して使用する場合には、保持した手で外側電極と伝送媒体側電極をショートさせて通信不能になる、或いは外側電極を上に向け伝送媒体側電極を掌に向けて保持した場合でも、伝送媒体側電極と掌の間に隙間ができ、十分な容量結合が得られず通信性能が不十分となる。さらに、電界通信用の送受信電極を新たに設ける方法では、通信に使用する際には携帯機器から送受信電極が大きくはみ出す構造になるため、回転あるいはスライドできる連結機構をあらたに追加して、送受信電極を使用しないときは仕舞い込む構造としているが、その状態でも厚みが増えデザイン上の影響は避けられず、またコスト、重量も増加してしまう問題がある。
【０００５】
本発明はかかる点に鑑みてなされたものであり、携帯機器の本来のデザインを変えることなく、機器を保持した場合の通信品質を向上することができる携帯機器を提供することを目的とする。また、本発明は、機器を保持して使用している場合と、ポケットなどに入れている場合のどちらの場合でも、通信が可能で、使い勝手のよい携帯機器を実現することを目的とする。
【０００６】
本発明の携帯機器は、情報信号を電界信号に変換して伝送媒体を介して送受信する電界通信における送信機及び／又は受信機として機能し、側面及び情報を視認できる表示面を持つ外形が略六面体である携帯機器であって、電界通信用の外側電極が前記表示面に設けられており、電界通信用の第１伝送媒体側電極が少なくとも一つの前記側面に設けられていることを特徴とする。
【０００７】
この構成によれば、ユーザは表示素子が見えるように携帯機器を伝送媒体で保持するため、表示面に設けられた外側電極が携帯機器を保持する伝送媒体でシールドされにくく、外部のルームアースや通信相手の機器の外側電極との結合が確実になり、一方、伝送媒体側電極は携帯機器を保持する伝送媒体に確実に密着し、伝送媒体と伝送媒体側電極が確実に容量結合する。このため、携帯機器を伝送媒体で保持した際の通信性能が向上する。
【０００８】
本発明の携帯機器においては、前記表示面に対向する対向面に電界通信用の第２伝送媒体側電極が設けられており、所定の時間にわたって前記携帯機器に対する操作がないときに前記対向面に設けた第２伝送媒体側電極を電界通信用の伝送媒体側電極とし、前記携帯機器に対する操作があったときに前記側面に設けた第１伝送媒体側電極を電界通信用の伝送媒体側電極とするように切り替え制御を行うことが好ましい。この構成によれば、携帯機器を手で保持して使用している場合には側面の伝送媒体側電極で確実に伝送媒体と容量結合し、携帯機器をポケットなどに入れている場合は底面の伝送媒体側電極によって伝送媒体と確実に容量結合するため、携帯機器を手で保持した場合でも、ポケットに入れた場合でも確実に通信ができる。
【０００９】
本発明の携帯機器においては、前記携帯機器が保持されたことを検出する検出手段を有しており、前記表示面に対向する対向面に電界通信用の第２伝送媒体側電極が設けられており、前記携帯機器が保持されたことを検出されていないときに前記対向面に設けた第２伝送媒体側電極を電界通信用の伝送媒体側電極とし、前記携帯機器が保持されたことを検出したときに前記側面に設けた第１伝送媒体側電極を電界通信用の伝送媒体側電極とするように切り替え制御を行うことが好ましい。この構成によれば、よりも確実に伝送媒体で保持していることを判別できるため、伝送媒体側電極の使い分けをより的確に行うことができ、通信性能の向上効果を確実に得ることができる。
【００１０】
本発明の携帯機器においては、前記携帯機器は入力機能を備えており、前記携帯機器に対する入力と電界通信とが共に行われる場合に、前記側面に設けた第１伝送媒体側電極の一部を電界通信用の伝送媒体側電極とし、前記側面に設けた残りの前記第１伝送媒体側電極を電界通信用の外側電極とするように切り替え制御を行うことが好ましい。この構成によれば、表示面に対する入力操作と共に電界通信が必要な場合に、入力機能も兼ねている表示素子を外側電極とするのではなく、側面の電極を外側電極とすることで確実な通信が可能になる。
【００１１】
本発明の携帯機器は、情報信号を電界信号に変換して伝送媒体を介して送受信する電界通信における送信機及び／又は受信機として機能し、側面及び情報を視認できる表示面を持つ外形が略六面体である携帯機器であって、電界通信用の外側電極が前記表示面に設けられており、電界通信用の第１伝送媒体側電極が少なくとも一つの前記側面に設けられているので、携帯機器の本来のデザインを変えることなく、機器を保持した場合の通信品質を向上することができる。
【図面の簡単な説明】
【００１２】
【図１】本発明の実施の形態に係る携帯機器を備えた電界通信システムを示す概略構成図である。
【図２】本発明の実施の形態に係る携帯機器の概略構成を示す図である。
【図３】本発明の実施の形態に係る携帯機器の内部構成を示すブロック図である。
【図４】（ａ）〜（ｄ）は、本発明の実施の形態１に係る携帯機器を説明するための図である。
【図５】（ａ）〜（ｃ）は、本発明の実施の形態２，３に係る携帯機器を説明するための図である。
【図６】本発明の実施の形態２に係る携帯機器の動作を説明するためのフロー図である。
【図７】本発明の実施の形態３に係る携帯機器の内部構成を示すブロック図である。
【図８】本発明の実施の形態３に係る携帯機器の動作を説明するためのフロー図である。
【図９】本発明の実施の形態４に係る携帯機器を説明するための図である。
【図１０】本発明の実施の形態４に係る携帯機器の動作を説明するためのフロー図である。
【図１１】電界通信を説明するための図である。
【発明を実施するための最良の形態】
【００１３】
電界を使った人体通信においては、送信機−人体−受信機との容量結合を介して信号が流れる往路（図１１におけるパスＡ）と、受信機−空気などの誘電体又はアースなどの導体−受信機との容量結合を介して信号が流れる復路（図１１におけるパスＢ）が必要である。この場合において、電界信号を効率よく伝送するために、往路（パスＡ）を形成する人体側電極（送信電極、受信電極）１１１は人体１１２との間の容量結合を大きくし、人体１１２を介した送信電極−受信電極間の容量結合を大きくすることが望ましく、復路（パスＢ）を形成する外側電極（送信機外側電極、受信機外側電極）１１３は人体１１２との間の容量結合を小さくし、送信機と受信機の外側電極間の容量結合を大きくすることが望ましい。さらに、電界信号のロスを減らして、より効率良く伝送するために、人体側電極１１１と外側電極１１３との間の容量結合を小さくすることが望ましい。【００１４】
このような観点を考慮して、本発明者らは、携帯機器の使用態様に応じて電界通信用の外側電極及び伝送媒体側電極の位置を特定することにより、携帯機器の本来のデザインを変えることなく、機器を保持した場合の通信品質を向上できることを見出し本発明をするに至った。【００１５】
すなわち、本発明の骨子は、情報信号を電界信号に変換して伝送媒体を介して送受信する電界通信における送信機及び／又は受信機として機能し、側面及び情報を視認できる表示面を持つ外形が略六面体である携帯機器であって、電界通信用の外側電極が前記表示面に設けられており、電界通信用の第１伝送媒体側電極が少なくとも一つの前記側面に設けられているので、携帯機器の本来のデザインを変えることなく、機器を保持した場合の通信品質を向上することである。【００１６】
以下、本発明の実施の形態について添付図面を参照して詳細に説明する。
（実施の形態１）
図１は、本発明の実施の形態に係る携帯機器を用いた電界通信システムを示す概略構成図である。図１に示す電界通信システムは、情報信号を変調し、電界信号に変換して送信電極１１を介して送信する送信機１と、その電界信号を介して情報信号を伝送する人体や空間などの伝送媒体２と、伝送媒体２を介して電界信号を検出し、その電界信号を情報信号に復調する受信機３とから主に構成されている。ここで、伝送媒体２は人体を想定しており、受信機３が携帯機器である。【００１７】
携帯機器３は、伝送媒体２からの電界を受ける伝送媒体側電極（人体側電極）３１と、人体側電極３１で受けた電界より情報信号を取得する信号検出回路３２と、信号検出回路３２による検出後の信号を情報信号に復調する復調回路３３と、復調後の情報信号を増幅する増幅回路３４とを有する。【００１８】
図２は、図１に示す携帯機器の概略構成を示す図である。図２に示す携帯機器３は、外形が略六面体であり、対向する上面３５及び底面３６と、４つの側面３７ａ〜３７ｄとを有する。ここでは、上面３５が情報を視認できる表示面である。また、側面３７ａと側面３７ｂとが対向しており、側面３７ｃと側面３７ｄとが対向している。ここでは、以降の説明を簡単にするために、側面３７ａを東向きとし、側面３７ｂを西向きとし、側面３７ｃを南向きとし、側面３７ｄを北向きとする。そして、この携帯機器３においては、電界通信用の外側電極が表示面である上面３５に設けられており、電界通信用の人体側電極が少なくとも一つの側面３７ａ〜３７ｄ（ここではすべての側面）及び側面３７と底面３６との間の稜線部に設けられている。なお、表示面が複数ある携帯機器においては、例えば、最も情報量の多い表示素子を持つ面を表示面として外側電極を配置する。【００１９】
図３は、実施の形態１に係る携帯機器の内部構成を示すブロック図である。携帯機器３は、装置全体を制御する制御部３８と、情報の入力を行う入力部３９と、情報を表示する表示部４０と、他の通信機器と通信を行う通信部４１とから主に構成されている。なお、制御部３８においては、時間を計測するタイマなどの計測部が含まれている。【００２０】
上記特許文献１においては、人体側電極と外側電極とが平行平板の配置を採っている。しかしながら、このような電極配置を携帯機器に適用すると、携帯機器を手で保持したときに、人体側電極と外側電極とを手で保持してショートさせてしまい通信が不可になるケースや、あるいは外側電極を上面に配置したとしても、人体側電極と掌との間に空隙ができて十分な通信ができないケースがある。【００２１】
本実施の形態に係る携帯機器においては、電界通信用の外側電極が表示面である上面３５に設けられており、電界通信用の人体側電極が側面３７ａ〜３７ｄに設けられている。すなわち、図４（ａ）に示すように、人の手２の掌２ａに携帯機器３を保持した際の携帯機器３の上面に外側電極４２が配置され、携帯機器３の側面に人体側電極４３が配置されている。【００２２】
ユーザが携帯機器３を手２で保持して使用する場合、表示素子が見やすいように保持するため、ユーザは図４（ａ）に示すように携帯機器３を保持する。このため、六面体の上面３５に設けられた外側電極４２に手２が触れる可能性は少なく、また、人体側電極４３は携帯機器３を保持する手２に確実に密着する。これにより、人体側電極４３と手２との間の容量結合が大きくなり、外側電極４２と手２との間の容量結合が小さくなる。その結果、確実に人体通信を行うことができる。【００２３】
携帯機器３における外側電極４２及び人体側電極４３の位置関係は、人体側電極４３と手２との間の容量結合が大きくなり、外側電極４２と手２との間の容量結合が小さくなる関係であれば良く、例えば、図４（ｂ）に示すように、少なくとも一つの側面３７ａ〜３７ｄに設けても良く、図４（ｃ）に示すように、上面３５と少なくとも一つの側面３７ａ〜３７ｄとの間の稜線部及び底面３６と側面３７ａ〜３７ｄとの間の稜線部に設けても良い。人体側電極４３を確実に手２に密着させるためには側面だけでなく稜線部にも設けた方が望ましい。また、図４（ｄ）に示すように、側面を膨出させて凸形状の曲面とし、その側面に人体側電極４３を設けても良い。図４（ｄ）に示す構成によれば、人体側電極４３を手２により密着させることが可能となる。【００２４】
携帯機器３の六面体には側面が４つあるが、人体側電極４３はそれらのうちの少なくとも一つの側面に設ければ良い。例えば、図２に示す携帯機器３では、南北方向の長さが相対的に長いので、ユーザが携帯機器３を保持する際には通常東西の側面３７ａ，３７ｂと接触する。このため、東西の側面３７ａ，３７ｂの少なくとも一つの側面に人体側電極４３を設けることが望ましい。【００２５】
上記構成を有する電界通信システムにおいて、通信を行う場合の動作について説明する。まず、送信機１において、情報信号を人体が導電性を示す周波数（数百ｋＨｚ〜数十ＭＨｚ）の搬送波で変調して変調信号を得る。この変調信号は、増幅され、電圧変化に変換されることにより、変調信号に対応する電界信号となる。そして、この電界信号が伝送媒体２である人体に付与される。なお、送信機１における変調方式については特に制限はない。【００２６】
人体に付与された電界信号は、携帯機器３の人体側電極３１で受信される。人体側電極３１に加わった電界信号は、信号検出回路３２に送られる。信号検出回路３２では、電界信号が内部の増幅回路で増幅されて復調回路３３に送られ、復調回路３３において送信機１で使用した搬送波を用いて復調して情報信号が取得される。この情報信号は、増幅回路３４で増幅された後に出力される。【００２７】
上記構成の電界通信システムにおいては、電界通信用の外側電極が表示面である上面３５に設けられており、電界通信用の人体側電極が側面３７ａ〜３７ｄに設けられている。ユーザは表示素子が見えるように携帯機器３を手２で保持するため、表示面に設けられた外側電極４２が携帯機器３を保持する手２でシールドされにくく、外部のルームアースや通信相手の機器の外側電極４２との結合が確実になり、一方、人体側電極４３は携帯機器３を保持する手２に確実に密着し、手２と人体側電極４３が確実に容量結合する。このため、携帯機器３を手で保持した際の通信性能が向上する。【００２８】
（実施の形態２）
本実施の形態においては、表示面３５に対向する対向面（底面）３６に電界通信用の伝送媒体側電極がさらに設けられており、所定の時間にわたって携帯機器３に対する操作がないときに底面３６に設けた伝送媒体側電極を電界通信用の伝送媒体側電極とし、携帯機器３に対する操作があったときに側面３７に設けた伝送媒体側電極を電界通信用の伝送媒体側電極とするように切り替え制御を行う場合について説明する。すなわち、本実施の形態においては、図５（ａ）に示すように、実施の形態１と同様に、表示面を上面３５とし、人体通信用の外側電極４２を上面３５に設け、人体側電極４３を側面３７と底面３６に設け、使用態様に応じて人体側電極４３及び外側電極４２を選択して切り替える。【００２９】
図５（ｂ）に示すように、携帯機器３に操作が行われた場合には、携帯機器３を手２で保持している状態を想定し、側面を人体側電極４３とする。これにより、携帯機器３を手２で保持している場合には、実施の形態１と同様に側面の人体側電極４３が手２に密着しやすいので安定した人体通信が可能である。ここで、携帯機器３への操作としては、各種スイッチ、キーボード、タッチパネル、指紋センサなどによる操作、音声入力による操作などが挙げられる。【００３０】
一方、所定の時間以上、携帯機器３への操作がない場合は、携帯機器３がポケットなどに入れられている状態と想定し、図５（ｃ）に示すように、底面を人体側電極４３とする。外側電極４２と人体側電極４３は、本質的にはどちらかが人体に向き、他方が外側を向けば通信可能であるため、携帯機器３への操作がない場合に、上面及び底面に外側電極４２及び人体側電極４３を配置することにより、どちらかの面が人体に向き、他方が外側を向くような配置となる。このため、電界通信が可能となる。一般に、携帯機器３の中で表示素子は大きな部品であり、表示素子を設けた六面体の上面は六面体の中で最も大きい面であることが多く、それによって携帯機器３をポケットなどに入れる場合は、人体２と上面あるいは底面が平行になるように入れると考えられるため、ユーザが特に意識しなくともどちらかの面が人体に向き、他方が外側を向くような配置を採るので、人体通信が可能となる。【００３１】
図５（ｃ）に示す状態においては、表示面が人体側に向くか底面が人体側に向くかが不明であるので、いずれの面が人体側に向いても通信ができるようにしておくことが望ましい。すなわち、ポケットなどに入れた状態で電極と人体との間の静電容量が、どちらの電極を人体に向けてもほぼ同じになるように、電極面積や、筺体の誘電率、厚さを設計することにより、より通信性能が安定したものになる。例えば、表示面側の電極と底面側の電極の面積をほぼ等しくする。【００３２】
本実施の形態において、所定時間以上、携帯機器３への操作がない場合に、人体側電極４３及び外側電極４２を選択して切り替えるときには、図３に示す構成の制御部３８のタイマを用いて図６に示す手順で行う。まず、デフォルトの状態では、図５（ｂ）に示すように、上面に外側電極４２が配置され、側面に人体側電極４３が配置されるような電極接続とする。この状態においてタイマで未操作時間を計測する。すなわち、携帯機器３に対する操作がない時間を計測する（ＳＴ１１）。そして、計測時間が所定時間を経過したかどうかを判断して（ＳＴ１２）、計測時間が所定時間を経過したときに、図５（ｃ）に示すように、上面及び底面に外側電極４２及び人体側電極４３が配置されるように電極接続を切り替える（ＳＴ１３）。【００３３】
このような制御により、使用状態（携帯機器に対する操作の有無）が異なっても実施の形態１と同様にして電界通信を確実に行うことが可能となる。また、六面体の中で面積の大きい上面と底面に電極を設けるため、電極面積を大きくすることができ、電極と人体との間の静電容量を大きくできるので通信感度向上に有利となる。【００３４】
なお、図５（ｃ）に示すように電極が平行平板配置になる場合は、電極間の寄生容量が大きくなり、その寄生容量を介した信号の損失が無視できなくなることが考えられるが、そのようなときは寄生容量と並列にインダクタンスを挿入し、電界通信で使う周波数でＬＣ並列共振させることで信号の損失を抑えることができる。【００３５】
（実施の形態３）
本実施の形態においては、携帯機器３が保持されたことを検出する検出部を有しており、表示面３５に対向する対向面（底面）３６に電界通信用の伝送媒体側電極がさらに設けられており、携帯機器３が保持されたことを検出されていないときに底面３６に設けた伝送媒体側電極を電界通信用の伝送媒体側電極とし、携帯機器３が保持されたことを検出したときに側面３７に設けた伝送媒体側電極を電界通信用の伝送媒体側電極とするように切り替え制御を行う場合について説明する。すなわち、本実施の形態においても、図５（ａ）に示すように、実施の形態１と同様に、表示面を上面３５とし、人体通信用の外側電極４２を上面３５に設け、人体側電極４３を側面３７と底面３６に設け、使用態様に応じて人体側電極４３及び外側電極４２を選択して切り替える。【００３６】
実施の形態２においては、携帯機器３への操作の有無で、手２で保持しているかどうかを間接的に判断した場合について説明しているが、本実施の形態においては、直接的に手２で保持しているかどうかを検出する手段を設けて、より的確な人体側電極の使い分けを可能としている。すなわち、本実施の形態に係る携帯機器３は、装置全体を制御する制御部３８と、情報の入力を行う入力部３９と、情報を表示する表示部４０と、他の通信機器と通信を行う通信部４１と、手２で保持しているかどうかを検出する検出部４４とから主に構成されている。なお、手２で保持していれば操作をしている状態であり、手２で保持していなければ操作をしていない状態であるので、この検出は、ユーザの操作検知を行っていることと等価である。【００３７】
検出方法としては、赤外線センサで生体が接していることを検知する方法、六面体の側面すべて（東西南北）に電極を設け、それらの電極間の電気抵抗や容量の変化（抵抗や容量が下がる）から手で触れられた電極を検知する方法などが挙げられる。特に、電気抵抗で検知する方法では、抵抗が下がった電極を人体側電極とすることで確実な通信が可能になる。【００３８】
本実施の形態において、ユーザの操作を検知した場合に、人体側電極４３及び外側電極４２を選択して切り替えるときには、図７に示す構成の制御部３８及び検出部４４を用いて図８に示す手順で行う。まず、デフォルトの状態では、図５（ｃ）に示すように、上面及び底面に外側電極４２及び人体側電極４３が配置されるような電極接続とする。この状態において、検出部４４で携帯機器３に対する操作を検知する（ＳＴ２１）。そして、操作検知されたかどうかを判断して（ＳＴ２２）、操作検知されたときに、図５（ｂ）に示すように、上面に外側電極４２が配置され、側面に人体側電極４３が配置されるように電極接続を切り替える（ＳＴ２３）。【００３９】
このような制御により、使用状態（携帯機器に対する操作の有無）が異なっても実施の形態１と同様にして電界通信を確実に行うことが可能となる。【００４０】
（実施の形態４）
本実施の形態においては、携帯機器３が入力機能を備えており、携帯機器３に対する入力と電界通信とが共に行われる場合に、側面３７に設けた電極の一部を電界通信用の人体側電極４３とし、側面３７に設けた残りの電極を電界通信用の外側電極４２とするように切り替え制御を行う場合について説明する。携帯機器３の表示素子がタッチパネルなどの入力機能も併せ持つ場合、アプリケーションによって入力操作と共に電界通信を行う必要があることがある。このような場合においては、外側電極が六面体の上面３５のみでは、外側電極と人体２とが容量結合して通信感度を低下させることがある。したがって、上面３５以外で人体２と容量結合しにくい場所に外側電極を設ける必要がある。【００４１】
具体的には、図９に示すように、携帯機器３の長手方向が南北方向の場合において、手２で保持するのは東西方向と想定し、外側電極４２を側面３７の北と南の二面に配置し、人体側電極４３を側面３７の西と東の二面とする。これにより、表示面に対する入力操作と共に電界通信が必要な場合にも確実な通信が可能になる。【００４２】
本実施の形態において、入力操作と共に電界通信を行う場合に、側面３７に設けた電極の一部を電界通信用の人体側電極４３とし、側面３７に設けた残りの電極を電界通信用の外側電極４２とするときには、図１０に示す手順で行う。まず、デフォルトの状態では、図４（ａ）に示すように、上面３５に外側電極４２が配置され、側面３７に人体側電極４３が配置されるような電極接続とする。この状態において、操作が開始され（ＳＴ３１）、特定のアプリケーション（入力操作と共に電界通信を行うアプリケーション）が起動しているかどうかを判断する（ＳＴ３２）。そして、特定のアプリケーションが起動しているときに、図１０に示すように、側面３７に設けた電極の一部を電界通信用の人体側電極４３とし、側面３７に設けた残りの電極を電界通信用の外側電極４２とするように電極接続を切り替える（ＳＴ３３）。【００４３】
本発明は上記実施の形態１〜４に限定されず、種々変更して実施することが可能である。例えば、上記実施の形態１〜４における回路構成、部品点数、数値などは一例であり、本発明はこれに限定されず適宜変更して実施することができる。その他、本発明の範囲を逸脱しないで適宜変更して実施することができる。
【図１】
2009081699.tif 000003
【図２】
2009081699.tif 000004
【図３】
2009081699.tif 000005
【図４】
2009081699.tif 000006
【図５】
2009081699.tif 000007
【図６】
2009081699.tif 000008
【図７】
2009081699.tif 000009
【図８】
2009081699.tif 000010
【図９】
2009081699.tif 000011
【図１０】
2009081699.tif 000012
【図１１】
2009081699.tif 000013
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
情報信号を電界信号に変換して伝送媒体を介して通信する電界通信において前記電界信号を送信するための送信機、前記電界信号を受信するための受信機又は前記電界信号を送受信するための送信機及び受信機として機能し、側面及び情報を視認できる表示面を持つ外形が略六面体であり、電界通信用の外側電極が前記表示面に設けられており、電界通信用の第１伝送媒体側電極が少なくとも一つの前記側面に設けられている携帯機器であって、
前記第１伝送媒体側電極の少なくとも一つの電極を、電界通信用の伝送媒体側電極とせずに電界通信可能となるように切り替え制御を行うことを特徴とする携帯機器。
【請求項２】
前記表示面に対向する対向面に電界通信用の第２伝送媒体側電極が設けられており、前記対向面に設けた第２伝送媒体側電極と前記側面に設けた第１伝送媒体側電極とのいずれかを、電界通信用の伝送媒体側電極とするように切り替え制御を行うことを特徴とする請求項１記載の携帯機器。
【請求項３】
所定の時間にわたって前記携帯機器に対する操作がないときに前記対向面に設けた第２伝送媒体側電極を電界通信用の伝送媒体側電極とし、前記携帯機器に対する操作があったときに前記側面に設けた第１伝送媒体側電極を電界通信用の伝送媒体側電極とするように切り替え制御を行うことを特徴とする請求項２記載の携帯機器。
【請求項４】
前記携帯機器が保持されたことを検出する検出手段を有しており、前記携帯機器が保持されたことを検出されていないときに前記対向面に設けた第２伝送媒体側電極を電界通信用の伝送媒体側電極とし、前記携帯機器が保持されたことを検出したときに前記側面に設けた第１伝送媒体側電極を電界通信用の伝送媒体側電極とするように切り替え制御を行うことを特徴とする請求項２記載の携帯機器。
【請求項５】
前記第１伝送媒体側電極の少なくとも一つの電極を、電界通信用の外側電極とするように切り替え制御を行うことを特徴とする請求項１記載の携帯機器。
【請求項６】
前記携帯機器は入力機能を備えており、前記携帯機器に対する入力と電界通信とが共に行われる場合に、前記側面に設けた第１伝送媒体側電極の一部を電界通信用の伝送媒体側電極とし、前記側面に設けた残りの前記第１伝送媒体側電極を電界通信用の外側電極とするように切り替え制御を行うことを特徴とする請求項５記載の携帯機器。
【手続補正２】
【補正対象書類名】明細書
【補正対象項目名】０００６
【補正方法】変更
【補正の内容】
【０００６】
本発明の携帯機器は、情報信号を電界信号に変換して伝送媒体を介して通信する電界通信において前記電界信号を送信するための送信機、前記電界信号を受信するための受信機又は前記電界信号を送受信するための送信機及び受信機として機能し、側面及び情報を視認できる表示面を持つ外形が略六面体であり、電界通信用の外側電極が前記表示面に設けられており、電界通信用の第１伝送媒体側電極が少なくとも一つの前記側面に設けられている携帯機器であって、前記第１伝送媒体側電極の少なくとも一つの電極を、電界通信用の伝送媒体側電極とせずに電界通信可能となるように切り替え制御を行うことを特徴とする。
【手続補正３】
【補正対象書類名】明細書
【補正対象項目名】０００８
【補正方法】変更
【補正の内容】
【０００８】
本発明の携帯機器においては、前記表示面に対向する対向面に電界通信用の第２伝送媒体側電極が設けられており、前記対向面に設けた第２伝送媒体側電極と前記側面に設けた第１伝送媒体側電極とのいずれかを、電界通信用の伝送媒体側電極とするように切り替え制御を行うことが好ましい。
また、本発明の携帯機器においては、所定の時間にわたって前記携帯機器に対する操作がないときに前記対向面に設けた第２伝送媒体側電極を電界通信用の伝送媒体側電極とし、前記携帯機器に対する操作があったときに前記側面に設けた第１伝送媒体側電極を電界通信用の伝送媒体側電極とするように切り替え制御を行うことが好ましい。この構成によれば、携帯機器を手で保持して使用している場合には側面の伝送媒体側電極で確実に伝送媒体と容量結合し、携帯機器をポケットなどに入れている場合は底面の伝送媒体側電極によって伝送媒体と確実に容量結合するため、携帯機器を手で保持した場合でも、ポケットに入れた場合でも確実に通信ができる。
【手続補正４】
【補正対象書類名】明細書
【補正対象項目名】０００９
【補正方法】変更
【補正の内容】
【０００９】
本発明の携帯機器においては、前記携帯機器が保持されたことを検出する検出手段を有しており、前記携帯機器が保持されたことを検出されていないときに前記対向面に設けた第２伝送媒体側電極を電界通信用の伝送媒体側電極とし、前記携帯機器が保持されたことを検出したときに前記側面に設けた第１伝送媒体側電極を電界通信用の伝送媒体側電極とするように切り替え制御を行うことが好ましい。この構成によれば、より確実に伝送媒体で保持していることを判別できるため、伝送媒体側電極の使い分けをより的確に行うことができ、通信性能の向上効果を確実に得ることができる。
【手続補正５】
【補正対象書類名】明細書
【補正対象項目名】００１０
【補正方法】変更
【補正の内容】
【００１０】
本発明の携帯機器においては、前記第１伝送媒体側電極の少なくとも一つの電極を、電界通信用の外側電極とするように切り替え制御を行うことが好ましい。
また、本発明の携帯機器においては、前記携帯機器は入力機能を備えており、前記携帯機器に対する入力と電界通信とが共に行われる場合に、前記側面に設けた第１伝送媒体側電極の一部を電界通信用の伝送媒体側電極とし、前記側面に設けた残りの前記第１伝送媒体側電極を電界通信用の外側電極とするように切り替え制御を行うことが好ましい。この構成によれば、表示面に対する入力操作と共に電界通信が必要な場合に、入力機能も兼ねている表示素子を外側電極とするのではなく、側面の電極を外側電極とすることで確実な通信が可能になる。
【国際調査報告】
2009081699.tif 000014
2009081699.tif 000015